(57)【要約】【課題】  バリエーションに富んだ遊び方を可能にする。【解決手段】  並設される二枚のプレート１０，１０と、これら二枚のプレート１０，１０を両方向へ折り曲げられるように接続するヒンジ２０と、二枚のプレート１０，１０の一方の面側に装着された複数のホールドブロック３１，３２と、二枚のプレート１０，１０を所定角度に固定する角度固定具とを備え、二枚のプレート１０，１０が屋根形態様Ａと壁形態様Ｂに変容するようにした。【選択図】  図１
2020178895.tif 000002
【特許請求の範囲】
【請求項１】
並設される二枚のプレートと、これら二枚のプレートを両方向へ折り曲げられるように接続するヒンジと、前記二枚のプレートの一方の面側に装着された複数のホールドブロックと、前記二枚のプレートを所定角度に固定する角度固定具とを備え、前記二枚のプレートが屋根形態様と壁形態様に変容するようにしたクライミング遊具であって、
前記屋根形態様では、前記二枚のプレートが、角度固定具により所定角度に固定された状態で前記ヒンジを上方へ向けるとともに両回動側端部を被載置面に接して前記ホールドブロックを外角側の面に露出し、
前記壁形態様では、前記二枚のプレートが、角度固定具により所定角度に固定された状態でヒンジ軸方向の一方の側端部を上方へ向けるとともに他方の側端部を被載置面に接して前記ホールドブロックを内角側の面に露出するようにしたことを特徴とするクライミング遊具。
【請求項２】
前記角度固定具には、前記屋根形態様の前記二枚のプレートに対し着脱可能に止着される第一の角度固定具と、前記壁形態様の前記二枚のプレートに対し着脱可能に止着される第二の角度固定具とが含まれることを特徴とする請求項１記載のクライミング遊具。
【請求項３】
前記屋根形態様の前記二枚のプレートの下端側に、これら下端側部分を接続して前記二枚のプレート間の角度の拡がりを抑制する角度固定補強具が設けらることを特徴とする請求項１又は２記載のクライミング遊具。
【請求項４】
前記壁形態様にて、前記二枚のプレートの上側に着脱可能に接続される接続用クライミング壁を備えたことを特徴とする請求項１〜３何れか１項記載のクライミング遊具。
【請求項５】
前記接続用クライミング壁は、前記二枚のプレート及び前記ヒンジと略同様の部材を、前記壁形態様に構成していることを特徴とする請求項４記載のクライミング遊具。
【請求項６】
前記屋根形態様と前記壁形態様の双方にて、前記二枚のプレートに着脱可能に接続されて被載置面に沿う支持具を設けたことを特徴とする請求項１〜５何れか１項記載のクライミング遊具。
【請求項７】
前記壁形態様の前記二枚のプレートの内角側の被載置面に敷設される弾性マットを備えたことを特徴とする請求項１〜６何れか１項記載のクライミング遊具。
【請求項８】
前記二枚のプレートは、前記一方の面における前記ホールドブロックの無い部分を凹凸状に形成していることを特徴とする請求項１〜７何れか１項記載のクライミング遊具。
【請求項９】
前記二枚のプレートは、前記一方の面における前記ホールドブロックの無い部分に、窓部を有することを特徴とする請求項１〜８何れか１項記載のクライミング遊具。
【請求項１０】
前記ホールドブロックには前記プレートの面から立ち上がる側面が設けられ、前記側面には部分的に手掛け面積を小さくした小面積側面が含まれ、前記ホールドブロックは、前記小面積側面を上方へ向けた姿勢と、前記小面積側面を上方以外の方向へ向けた姿勢とを含む複数の姿勢で、前記プレートの面に装着可能であることを特徴とする請求項１〜９何れか１項記載のクライミング遊具。
【発明の詳細な説明】
【技術分野】
【０００１】
本発明は、ロッククライミング、フリークライミング、エイドクライミング、ルートクライミング、ボルダリング等を含むクライミングに用いられるクライミング遊具に関するものである。
【背景技術】
【０００２】
従来、この種の発明には、例えば特許文献１に記載されるように、立設されたスタンドに取り付けられたパネルと、該パネルに複数配置されてパネルに固定され遊戯者の手または足を掛止めるホールド部とからなるクライミング遊具がある。
このクライミング遊具によれば、前記スタンドを構成する支柱部の下部が、地中に埋設されるようにして固定される。そして、遊戯者は、ホールド部に手や足を掛けて、切り立ったパネルを登るようにして遊ぶ。
【先行技術文献】
【特許文献】
【０００３】
【特許文献１】特開２０１５−８４８７３号公報
【発明の概要】
【発明が解決しようとする課題】
【０００４】
しかしながら、上記従来のクライミング遊具では、切り立ったパネルを登るという単純な遊びしかできなかった。そこで、よりバリエーションに富んだ遊び方を可能にすることが求められている。また、例えば、幼児等、遊戯者が比較的低年齢である場合には、切り立ったパネルを登ることができず、遊具として用いるのが困難な場合がある。
【課題を解決するための手段】
【０００５】
このような課題に鑑みて、本発明は、以下の構成を具備するものである。
並設される二枚のプレートと、これら二枚のプレートを両方向へ折り曲げられるように接続するヒンジと、前記二枚のプレートの一方の面側に装着された複数のホールドブロックと、前記二枚のプレートを所定角度に固定する角度固定具とを備え、前記二枚のプレートが屋根形態様と壁形態様に変容するようにしたクライミング遊具であって、前記屋根形態様では、前記二枚のプレートが、角度固定具により所定角度に固定された状態で前記ヒンジを上方へ向けるとともに両回動側端部を被載置面に接して前記ホールドブロックを外角側の面に露出し、前記壁形態様では、前記二枚のプレートが、角度固定具により所定角度に固定された状態でヒンジ軸方向の一方の側端部を上方へ向けるとともに他方の側端部を被載置面に接して前記ホールドブロックを内角側の面に露出するようにしたことを特徴とするクライミング遊具。
【発明の効果】
【０００６】
本発明は、以上説明したように構成されているので、バリエーションに富んだ遊び方が可能になる。
【図面の簡単な説明】
【０００７】
【図１】本発明に係るクライミング遊具の一例を示す斜視図であり、（ａ）は屋根形態様の状態を示し、（ｂ）は壁形態様の状態を示す。
【図２】同クライミング遊具の二枚のプレートに接続用クライミング壁を接続した状態を示す斜視図である。
【図３】同クライミング遊具を屋根形態様の状態から分解している途中の状態を示す斜視図である。
【図４】同クライミング遊具を壁形態様に組み立てている途中の状態を示す斜視図である。
【図５】同クライミング遊具の二枚のプレートに接続用クライミング壁を接続している途中の状態を示す斜視図である。
【図６】ホールドブロックの一例を示し、（ａ）は正面側から視た斜視図、（ｂ）は背面側から視た斜視図である。
【図７】ホールドブロックの他例を示し、（ａ）は正面側から視た斜視図、（ｂ）は背面側から視た斜視図である。
【発明を実施するための形態】
【０００８】
本実施の形態では、以下の特徴を開示している。
第一の特徴は、並設される二枚のプレートと、これら二枚のプレートを両方向へ折り曲げられるように接続するヒンジと、前記二枚のプレートの一方の面側に装着された複数のホールドブロックと、前記二枚のプレートを所定角度に固定する角度固定具とを備え、前記二枚のプレートが屋根形態様と壁形態様に変容するようにしたクライミング遊具であって、前記屋根形態様では、前記二枚のプレートが、角度固定具により所定角度に固定された状態で前記ヒンジを上方へ向けるとともに両回動側端部を被載置面に接して前記ホールドブロックを外角側の面に露出し、前記壁形態様では、前記二枚のプレートが、角度固定具により所定角度に固定された状態でヒンジ軸方向の一方の側端部を上方へ向けるとともに他方の側端部を被載置面に接して前記ホールドブロックを内角側の面に露出するようにした（図１〜図５参照）。
【０００９】
第二の特徴として、前記角度固定具には、前記屋根形態様の前記二枚のプレートに対し着脱可能に止着される第一の角度固定具と、前記壁形態様の前記二枚のプレートに対し着脱可能に止着される第二の角度固定具とが含まれる（図１、図３及び図４参照）。
【００１０】
第三の特徴は、前記屋根形態様の前記二枚のプレートの下端側に、これら下端側部分を接続して前記二枚のプレート間の角度の拡がりを抑制する角度固定補強具が設けらる（図３参照）。
【００１１】
第四の特徴は、前記壁形態様にて、前記二枚のプレートの上側に着脱可能に接続される接続用クライミング壁を備える（図２及び図５参照）。
【００１２】
第五の特徴として、前記接続用クライミング壁は、前記二枚のプレート及び前記ヒンジと略同様の部材を、前記壁形態様に構成している（図２及び図５参照）。
【００１３】
第六の特徴は、前記屋根形態様と前記壁形態様の双方にて、前記二枚のプレートに着脱可能に接続されて被載置面に沿う支持具を設けた（図１〜図５参照）。
【００１４】
第七の特徴は、前記壁形態様の前記二枚のプレートの内角側の被載置面に敷設される弾性マットを備えた（図２参照）。
【００１５】
第八の特徴として、前記二枚のプレートは、前記一方の面における前記ホールドブロックの無い部分を凹凸状に形成している（図１参照）。
【００１６】
第九の特徴として、前記二枚のプレートは、前記一方の面における前記ホールドブロックの無い部分に、窓部を有する（図１及び図３参照）。
【００１７】
第十の特徴として、前記ホールドブロックには前記プレートの面から立ち上がる側面が設けられ、前記側面には部分的に手掛け面積を小さくした小面積側面が含まれ、前記ホールドブロックは、前記小面積側面を上方へ向けた姿勢と、前記小面積側面を上方以外の方向へ向けた姿勢とを含む複数の姿勢で、前記プレートの面に装着可能である（図１，図６及び図７参照）。
【００１８】
なお、後述する実施態様では、以下の構成要件のみを必須とした発明も開示している。
すなわち、この発明の一つは、立ち上がる側面を有するホールドブロックであって、前記側面には部分的に手掛け面積を小さくした小面積側面が含まれ、前記小面積側面を上方へ向けた姿勢と、前記小面積側面を上方以外の方向へ向けた姿勢とを含む複数の姿勢で、装着可能に構成される。
このホールドブロックによれば、小面積側面を上方へ向けた装着状態と、小面積側面を上方以外の方向へ向けた装着状態とで、ボルダリングの難易度を変えることができる。
【００１９】
＜具体的実施態様＞
次に、上記特徴を有する具体的な実施態様について、図面に基づいて詳細に説明する。
なお、以下の記載中、ヒンジ軸方向とは、ヒンジ２０を構成する軸部が延設される方向を意味する。また、屋根形態様Ａ（図１（ａ）参照）においてプレート１０の幅方向とは、前記ヒンジ軸方向と同じ方向を意味する。
【００２０】
本実施態様のクライミング遊具は、図１（ａ）（ｂ）に示すように、屋根形態様Ａと、壁形態様Ｂに変容する。さらに、壁形態様Ｂでは、図２に示すように、接続用クライミング壁Ｃを具備することが可能である。
【００２１】
このクライミング遊具は、一辺部同士を対向させて並設される矩形状の二枚のプレート１０，１０と、これら二枚のプレート１０．１０を両方向へ折り曲げられるように接続するヒンジ２０と、二枚のプレート１０，１０の一方の面側に装着された複数のホールドブロック３１，３２と、前記二枚のプレートを所定角度に固定する第一の角度固定具４１と、二枚のプレート１０，１０に着脱可能に接続されて被載置面ｘに沿う第一の支持具５１とを具備する。
【００２２】
先ず、このクライミング遊具を屋根形態様Ａで用いた場合について説明する。
屋根形態様Ａのクライミング遊具は、図１（ａ）に示すように、二枚のプレート１０，１０が、第一の角度固定具４１により所定角度に固定された状態でヒンジ２０を上方へ向けるとともに両回動側端部を被載置面ｘに接してホールドブロック３１，３２を二枚のプレート１０，１０の外角側の面に露出する。
【００２３】
二枚のプレート１０，１０の各々は、平面視略矩形状（図示例によれば略正方形状）を呈し、例えば、合成樹脂材料の中空の板状に成形される。
各プレート１０には、後述するホールドブロック３１，３２を止着するための一対の止着孔（図示せず）が貫通状に設けられる。前記止着孔は、本実施形態の一例によれば、一つのホールドブロック３１（又は３２）について、一対に設けられ、それぞれ、ホールドブロック３１（又は３２）と一体の一対の止着軸３３（図６及び図７参照）を挿通する。前記一対の止着孔には、プレート１０面において、上下方向に並ぶもの、幅方向に並ぶもの、斜め方向に並ぶもの等がある。
【００２４】
また、各プレート１０は、その露出側の面におけるホールドブロック３１，３２の無い部分を、比較的深さ及び高さの小さい凹凸状に形成している。詳細に説明すれば、各プレート１０は、図１（ａ）（ｂ）に示すように、その露出面の全体にわたって、ホールドブロック３１，３２の無い部分に、多数の凹部１１と凸部１２を交互に並設している。
【００２５】
ここで、前記露出面とは、当該クライミング遊具の外部から視認可能な面である。図１（ａ）に示す屋根形態様Ａでは、二つのプレート１０，１０の外角側の面が露出面である。また、図１（ｂ）に示す壁形態様Ｂでは、二つのプレート１０，１０の内角側の面が露出面である。
【００２６】
凹部１１と凸部１２は、大きさの異なる平面視矩形状に形成され、プレート１０の露出面が連続する一方向と該一方向に交差する方向（図示例によれば直交方向）にわたって交互に配設される。凸部１２の突出量は、ホールドブロック３１，３２の突出量の半分以下であり小さく、例えば、凹部１１の深さと略同等に設定される。各凹部１１は、プレート１０を貫通しないように、その深さ寸法が設定される。
【００２７】
また、各プレート１０は、その露出面（凹部１１及び凸部１２を有する面）におけるホールドブロック３１，３２の無い部分に、単数又は複数の窓部１３を有する。
この窓部１３は、透視可能な矩形状の窓部であり、例えば、透明プラスチック等を嵌め込むようにして構成される。この窓部１３の他例としては、横長の孔や縦長の孔等、図示例以外の形状の孔とすることが可能である。さらに、窓部１３の他例としては、単なる貫通孔とすることも可能である。
【００２８】
各プレート１０におけるヒンジ２０側に対する反対側（図１（ａ）における斜め下側）における幅方向の端部側には、後述する角度固定補強具４４（図３参照）を挿通し係止するための貫通状の係止孔１４や、第一の支持具５１を嵌め合わせて止着するための凹溝部１５等が設けられる。
【００２９】
各プレート１０は、対向するもう一方のプレート１０に対しヒンジ２０を介して接続され、このヒンジ２０を支点にして双方向へ折れ曲がるように回動する。
【００３０】
ヒンジ２０は、一片部に対し他片部を自在に回動するように軸支した部材であり、蝶番等と呼称される場合もある。このヒンジ２０は、前記一片部を一方のプレート１０に接続するとともに、前記他片部を他方のプレート１０に接続して、プレート１０の幅方向（図１（ａ）の奥行方向）の略全長にわたって設けられる。
【００３１】
ホールドブロック３１，３２は、プレート１０の露出面から突出する突起状の部材であり、プレート１０が連続する方向に間隔を置いて複数設けられる。
このホールドブロック３１（又は３２）の裏側には、図示しない一対の止着軸３３が一体的に固定されている（図６及び図７参照）。これら止着軸３３は、それぞれ、プレート１０の止着孔（図示せず）に挿通され、各プレート１０の裏側で、ブラケット及び係止具（図示しないリベット又はナット等）により係止固定される。
【００３２】
各ホールドブロック３１，３２には、プレート１０の露出面から立ち上がる側面が設けられ、前記側面には、部分的に手掛け面積を小さくした小面積側面が含まれる。そして、各ホールドブロック３１，３２、小面積側面３１ａを上方へ向けた姿勢と、小面積側面３１ａを上方以外の方向へ向けた姿勢とを含む複数の姿勢で、プレート１０の露出面に装着可能である。
【００３３】
例えば、一方のホールドブロック３１は、図６（ａ）（ｂ）に示すように、四つの側面を有し、これら複数の側面のうち、一つの側面を、他の側面３１ｂ，３１ｃよりも、プレート１０の露出面から立ち上がる寸法が小さく、手掛け面積の小さい小面積側面３１ａにしている。この小面積側面３１ａは、上向きに用いられた場合に、ボルダリングの難易度を上げるように機能する。
【００３４】
なお、図中、側面３１ｂは、手掛け面積が一番大きい側面であり、上向きに用いられた場合に、ボルダリングの難易度を下げるように機能する。
また、側面３１ｃは、小面積側面３１ａ側から反対側の側面３１ｂ側へ向かって徐々に手掛け面積を増大させるように形成され、上向きに用いられた場合に、難易度を中程度にするように機能する。
また、ホールドブロック３１の突端面３１ｄは、プレート１０面に対し傾斜する面となる。
【００３５】
他方のホールドブロック３２は、図７（ａ）（ｂ）に示すように、湾曲状の側面を有し、この側面には、部分的に手掛け面積を小さくした小面積側面３２ａが含まれる。ホールドブロック３２は、小面積側面３２ａを上方へ向けた姿勢と、小面積側面３２ａを上方以外の方向へ向けて他の側面を上方へ向けた姿勢とを含む複数の姿勢で、前記露出面に装着可能である。
小面積側面３２ａは、上向きに用いられた場合に、ボルダリングの難易度を上げるように機能する。
【００３６】
このホールドブロック３２の突端面３２ｂは、図示例によれば、プレート１０の露出面から突出するとともに前記露出面と略平行に設けられる。
【００３７】
第一の角度固定具４１は、屋根形態様Ａにて二枚のプレート１０，１０に対し着脱可能に止着される。
詳細に説明すれば、この第一の角度固定具４１は、平面視略三角形板状もしくは略台形板状の板材であり、二枚のプレート１０，１０におけるヒンジ軸方向の一端部と他端部に、それぞれ、ネジやボルト等の着脱可能な止着具によって止着される。
【００３８】
各第一の角度固定具４１には、出入口シート４３が止着される。
出入口シート４３は、可撓性のシート材から中央側にスリット部４３ａを有する平面視略三角形状に形成され、その両側の斜辺部分の下端側に止着紐４３ｂを有する。
この出入口シート４３は、上端側が第一の角度固定具４１に止着固定され、両側の止着紐４３ｂ，４３ｂが、それぞれ、第一の支持具５１に縛り付けられて引き張られる。
なお、出入口シート４３を、プレート１０又は第一の支持具５１等に止着する手段は、前記止着紐４３ｂに置換して、面ファスナーや、磁石、ホック、バックル等を用いた態様とすることも可能である。
【００３９】
スリット部４３ａは、第一の角度固定具４１の近傍となる位置から、出入口シート４３の下端まで延設され、出入口シート４３の下部側を左側半部と右側半部に分離している。
よって、遊戯者等は、スリット部４３ａの片側半部を捲り上げるようにして、屋根形態様Ａの二枚のプレート１０，１０間に出入りすることができる。また、このスリット部４３ａを覗き孔として用いることも可能である。
【００４０】
また、屋根形態様Ａにおいて、二枚のプレート１０，１０の下端側には、その幅方向（ヒンジ軸方向）の一端側と他端側に、それぞれ、角度固定補強具４４が設けられる（図３参照）。
この角度固定補強具４４は、屋根形態様Ａの二枚のプレート１０，１０の下端側部分を接続して、これら二枚のプレート１０，１０間の角度の拡がりを抑制する。
この角度固定補強具４４は、可撓性の長尺部材（例えば紐状部材やテープ状部材、ワイヤー等）から形成され、直線状に延設された本体部４４ａと、この本体部４４ａの両端側にそれぞれ固定された係止片部４４ｂ，４４ｂとを一体的に有する。
係止片部４４ｂは、本体部４４ａの端部側を部分的に折り重ねてＴ字状に縫製したものである。なお、この係止片部４４ｂの他例としては、金属やプラスチック等からなる片状部材を本体部４４ａの両端側に止着した態様とすることも可能である。
【００４１】
上記構成の角度固定補強具４４は、その一端側と他端側の係止片部４４ｂ，４４ｂが、それぞれ、屋根形態様Ａの二枚のプレート１０，１０における下端側の左右の係止孔１４，１４に挿通され、その先端側が略Ｔ字状にされて係止孔１４内縁に係止される。
したがって、屋根形態様Ａの二枚のプレート１０，１０は、過剰な重量が加わった場合等でも、略山形の形状を維持する。
【００４２】
第一の支持具５１は、屋根形態様Ａと壁形態様Ｂの双方にて、二枚のプレート１０，１０に接続されて被載置面ｘに沿うように形成される。
詳細に説明すれば、この第一の支持具５１は、金属等の硬質材料より、一片部と他片部とを有する略Ｌ字状に形成される。前記一片部は、プレート１０の幅方向へ延設されプレート１０の側端縁から突出し、被載置面ｘに接触する。前記他片部は、プレート１０の凹溝部１５（図３参照）に嵌め合わせられ、止着具（例えばネジやボルト等）によって、プレート１０に対し着脱可能に固定される。
前記他片部には、屋根形態様Ａのプレート１０に止着する際に前記止着具が挿通される貫通孔５１ａと、壁形態様Ｂのプレート１０に止着する際に前記止着具が挿通される貫通孔５１ｂとが設けられる（図３及び図４参照）。これら貫通孔５１ａと貫通孔５１ｂは、その貫通方向が交差（図示例によれば直交）している。
【００４３】
屋根形態様Ａにおいて、第一の支持具５１は、被載置面ｘに接する四角側にそれぞれ設けられ、クライミング遊具が幅方向へ傾いたり倒れたりするのを阻む。
【００４４】
上記した屋根形態様Ａのクライミング遊具によれば、比較的低年齢の幼児等の遊戯者でも、傾斜したプレート１０を登るようにしてボルダリングを楽しむことができる。また、遊戯者は、出入口シート４３を捲り上げて、二枚のプレート１０，１０内に侵入し、窓部１３やスリット部４３ａを覗き窓にして外部を視ることができる。
【００４５】
次に、上記構成のクライミング遊具を屋根形態様Ａから壁形態様Ｂに変容させる手順、及び壁形態様Ｂの構成について説明する。
【００４６】
図３は、屋根形態様Ａをクライミング遊具の分解途中の様子を示している。
次に、手前側と奥側の第一の角度固定具４１及び出入口シート４３が、それぞれ、止着具（ネジやボルト等）を取り外す作業や、止着紐４３ｂの解きほぐす作業等により、二枚のプレート１０，１０から外される。
そして、複数の第一の支持具５１が、それぞれ、止着具（ネジやボルト等）を取り外す作業等により、プレート１０から外される。
【００４７】
次に、各角度固定補強具４４が、二枚のプレート１０，１０から外される。詳細に説明すれば、角度固定補強具４４の各係止片部４４ｂが、それぞれ、係止孔１４から抜き取られる。
【００４８】
ここまでの作業により、二枚のプレート１０，１０は、ヒンジ２０を支点にして自在に折曲げ及び展開可能な状態になる。
なお、前記分解手順は、その順序を適宜入れ替えることが可能である。
【００４９】
次に、図４に示すように、二枚のプレート１０，１０は、ホールドブロック３１，３２を内角側の面に露出するようにして、所定角度（例えば９０°）に曲げられ、その角度状態のまま、側転部１０ａ，１０ｂにそれぞれ止着される第二の角度固定具４２により固定される。
【００５０】
第二の角度固定具４２は、金属等の硬質材料から平面視略Ｌ字状に形成される。この第二の角度固定具４２は、その一片部と他片部が、それぞれ、ネジやボルト等の着脱可能な止着具により、一方のプレート１０の側端部１０ａ（又は１０ｂ）と、他方のプレート１０の側端部１０ａ（又は１０ｂ）に止着される。
【００５１】
次に、各プレート１０における反ヒンジ２０側に、第一の支持具５１が着脱可能に止着される。
詳細に説明すれば、略Ｌ字状の第一の支持具５１は、その基端側の一片部が、プレート１０の凹溝部１５に嵌め合わせられ、前記一片部に対し曲がった他片部が、二枚のプレート１０，１０の内角側へ向けられる（図４参照）。
そして、前記一片部は、貫通孔５１ｂに挿通される止着具（例えばネジやボルト等）によって、各プレート１０に止着される。
よって、二枚のプレート１０，１０は、壁形態様Ｂに保持される。
【００５２】
そして、壁形態様Ｂの二枚のプレート１０，１０は、その外角側の面を室内壁の入隅部に沿わすようにして、一方の側端部１０ａを上方へ向けるとともに他方の側端部１０ｂを下方へ向けて、被載置面ｘに載置される。
【００５３】
よって、上記のようにして組み立てられた壁形態様Ｂのクライミング遊具によれば、幼児等の遊戯者が、切り立ったプレート１０を登るようにして、ボルダリングを楽しむことができる。なお、上記した組立手順は、その順序を適宜変更することが可能である。
【００５４】
次に、壁形態様Ｂのクライミング遊具に対し、接続用クライミング壁Ｃを接続する手順について説明する。
接続用クライミング壁Ｃは、上記二枚のプレート１０，１０及びヒンジ２０と略同様の部材を、上記壁形態様Ｂと同様に構成したものである（図２参照）。
【００５５】
この接続用クライミング壁Ｃは、図５に示すように、水平方向に並ぶ複数の接続具６２によって、下側の二枚のプレート１０，１０に連結される。
各接続具６２は、金属等の硬質材料から長尺状に形成される。
各プレート１０の背面側には、複数の接続具６２をそれぞれ嵌め合わせるための複数の凹溝部１６が設けられている。
各接続具６２は、上下のプレート１０，１０ｂに跨って設けられ、その下半部が、下側のプレート１０の凹溝部１６に嵌め合わせられ着脱可能な止着具（例えば、ネジやボルト、ナット状部材等）によって止着され、同様にして、上半部も、上側のプレート１０の凹溝部１６に着脱可能な止着具により止着される。
【００５６】
上記のように接続用クライミング壁Ｃを接続した態様では、上述した第一の支持具５１に置換して、第二の支持具５２が用いられる（図２及び図５参照）。
第二の支持具５２は、二つの外向き支持片５２ａと、これら二つの外向き支持片５２ａ，５２ａ間に位置する一つの内向き支持片５２ｂと、これら外向き支持片５２ａ及び内向き支持片５２ｂをプレート１０に接続する二つの接続片５２ｃとを具備している。
【００５７】
外向き支持片５２ａは、下側の二枚のプレート１０，１０における側端部１０ｂの反角側に位置するように二つ設けられる。
各外向き支持片５２ａは、第一の支持具５１と同一の略Ｌ字状部材（共通部品）であり、その基端側の一片部を止着具（例えばネジやボルト等）により接続片５２ｃに止着するともに、他端側の一片部を外側へ突出するようにして被載置面ｘに沿わせている。
【００５８】
内向き支持片５２ｂは、下側の二枚のプレート１０，１０の内角側に、敷設された一枚の弾性マット６１の外側の側面に沿う略Ｌ字状に形成され、その一端側と他端側をそれぞれ上方へ延設して接続片５２ｃに止着している。
【００５９】
接続片５２ｃは、下側の二枚のプレート１０，１０にそれぞれ対応するように二つ設けられる。
各接続片５２ｃは、上下方向へ長尺な略ブロック状に形成され、外向き支持片５２ａ及び内向き支持片５２ｂを挿入嵌合して止着するための嵌合孔を有する。
この接続片５２ｃは、各プレート１０における反角側の端部下側に、着脱可能な止着具（ネジやボルト、ナット状部材等）によって固定される。
【００６０】
上記構成の第二の支持具５２は、上下に接続された複数のプレート１０を、安定的に支持することができる。
そして、被載置面ｘには、下側の壁形態様Ｂのプレート１０，１０の入隅側に位置するように、弾性マット６１が敷設される。この際、弾性マット６１は、容易に位置ずれすることのないように、下側の二枚のプレート１０，１０と内向き支持片５２ｂの内側に沿って配置される（図２参照）。
【００６１】
弾性マット６１は、ゴムやスポンジ、布等から矩形板状に形成されている。
なお、この弾性マット６１は、図示例によれば、一枚の略正方形板状の部材としているが、２枚以上の矩形板状の部材とすることも可能である。
【００６２】
よって、上記構成のクライミング遊具によれば、例えば屋根形態様Ａとすれば、基地遊びや忍者遊び、傾斜面を登るボルダリングを楽しむことができる。また、壁形態様Ｂとすれば、切り立った面を登るボルダリングも楽しむことができ、さらに、接続用クライミング壁Ｃを接続して、ボルダリングの難易度を高めることができ、バリエーションに富んだ遊び方が可能である。
【００６３】
また、上記実施態様によれば、ホールドブロック３１（又は３２）は、プレート１０上の異なる位置で、小面積側面３１ａ（又は３２ａ）が異なる方向を向くようにしたが、他例としては、各ホールドブロック３１（又は３２）が、プレート１０の同一位置で、小面積側面３１ａ（又は３２ａ）を選択的に異なる方向へ向ける態様とすることも可能である。この他例では、プレート１０の同一箇所に、各ホールドブロック３１（又は３２）を装着するための一対の孔を、その並び方向を選択できるように、向きを変えて複数設ければよい。
【００６４】
また、上記実施態様によれば、屋根形態様Ａの二枚のプレート１０，１０に止着される第一の角度固定具４１と、壁形態様Ｂの二枚のプレート１０，１０に対し止着される第二の角度固定具４２とを異なる形状の部材としたが、これら角度固定具は、同一形状の部材とすることも可能である。
【００６５】
また、上記実施態様によれば、接続用クライミング壁Ｃを接続した場合に弾性マット６１を具備するようにしたが、他例としては、接続用クライミング壁Ｃを接続しない壁形態様Ｂ（図１（ｂ）参照）において、プレート１０，１０間の被載置面ｘ上に弾性マット６１を敷設した態様とすることも可能である。さらに、他例としては、屋根形態様Ａ（図１（ａ）参照）において、各プレート１０下側の被載置面ｘ上に弾性マット６１を敷設した態様とすることも可能である。
【００６６】
また、本発明は上述した実施態様に限定されず、本発明の要旨を変更しない範囲で適宜変更可能である。
【符号の説明】
【００６７】
１０，１０：二枚のプレート
１１：凹部
１２：凸部
１３：窓部
２０：ヒンジ
３１，３２：ホールドブロック
３１ａ，３２ａ：小面積側面
４１：第一の角度固定具
４２：第二の角度固定具
４３：出入口シート
４４：角度固定補強具
５１：第一の支持具
５２：第二の支持具
６１：弾性マット
６２：接続具
Ａ：屋根形態様
Ｂ：壁形態様
Ｃ：接続用クライミング壁
【図１】
2020178895.tif 000003
【図２】
2020178895.tif 000004
【図３】
2020178895.tif 000005
【図４】
2020178895.tif 000006
【図５】
2020178895.tif 000007
【図６】
2020178895.tif 000008
【図７】
2020178895.tif 000009